(57)【要約】【課題】  モジュラージャック及びモジュラージャック設置方法において、端子板１０にＬＡＮケーブル２０の芯線２１を容易に接続することができ、且つ端子板１０と芯線２１の間の接触を良好に実現することのできるモジュラージャック及びモジュラージャック設置方法を提供する。【解決手段】  ＬＡＮケーブル２０の複数の芯線２１をそれぞれ接続する端子板１０を有するモジュラージャックにおいて、モジュラージャック１が、複数の端子板１０を有する本体２と、本体２に傾動可能に設置した可動爪３と、本体２と分離可能であり端子板１０を覆うキャップ４を有しており、キャップ４が複数の芯線２１をそれぞれ保持する複数の把持部１１を有し、可動爪３が傾動する際にキャップ４を本体２側に押圧するように構成する。【選択図】図１
2013161688.tif 000002
【特許請求の範囲】
【請求項１】
ＬＡＮケーブルの複数の芯線をそれぞれ接続する端子板を有するモジュラージャックにおいて、
前記モジュラージャックが、複数の端子板を有する本体と、前記本体に傾動可能に設置した可動爪と、前記本体と分離可能であり前記端子板を覆うキャップを有しており、
前記キャップが複数の前記芯線をそれぞれ保持する複数の把持部を有し、前記可動爪が傾動する際に前記キャップを前記本体側に押圧するように構成されたことを特徴とするモジュラージャック。
【請求項２】
前記可動爪が、前記キャップの前記把持部を有する面と反対側の天面を押圧するように構成されたことを特徴とする請求項１に記載のモジュラージャック。
【請求項３】
前記キャップに形成された複数の把持部が、それぞれ絞り部を有しており、
前記絞り部が、前記芯線を前記キャップに固定するように構成されたことを特徴とする請求項１又は２に記載のモジュラージャック。
【請求項４】
ＬＡＮケーブルの複数の芯線をそれぞれ接続する端子板を有するモジュラージャックに、前記ＬＡＮケーブルを接続するモジュラージャック設置方法において、
前記モジュラージャックが、複数の端子板を有する本体と、前記本体に傾動可能に設置した可動爪と、前記本体と分離可能であり前記端子板を覆うキャップを有しており、前記キャップが複数の前記芯線をそれぞれ保持する複数の把持部を有し、前記可動爪が傾動する際に前記キャップを前記本体側に押圧するように構成されており、
前記ＬＡＮケーブルの前記芯線を前記把持部の対応する位置に保持させるステップと、
前記キャップを前記本体に接近させるステップと、
前記可動爪を傾動させ前記キャップを前記本体側に押圧して前記芯線と前記端子板を電気的に接続させるステップを有することを特徴とするモジュラージャック設置方法。
【発明の詳細な説明】
【技術分野】
【０００１】
本発明は、ＬＡＮケーブルの端部に設置するモジュラージャック及びモジュラージャック設置方法に関するものである。
【背景技術】
【０００２】
通信用の信号線としてＬＡＮケーブルが使用されている。このＬＡＮケーブルは、内部に８本の芯線を有している。このＬＡＮケーブルの端部には、ＬＡＮケーブル同士の接続を容易にするために、モジュラージャック（メス側）及びモジュラープラグ（オス側）が設置されている。
【０００３】
図４に、従来のモジュラージャックを示す。図４左方はモジュラージャック１Ｘの正面（ｘｚ平面）を、図４右方は側面（ｙｚ平面）を示している。モジュラージャック１Ｘは、本体２Ｘと、ＬＡＮケーブルの８本の芯線に対応する８つの端子板１０Ｘと、モジュラープラグを挿入する挿入孔５と、キャップ４Ｘを有している。この端子板１０Ｘには、圧接スリットが形成されている。
【０００４】
次に、ＬＡＮケーブルにモジュラージャック１Ｘを接続する方法について説明する。図５に、ＬＡＮケーブル２０にモジュラージャック１Ｘを接続する様子を示す。まず、ＬＡＮケーブル２０の端部の被覆を除去し、８本の芯線２１を露出させる。この８本の芯線２１は、それぞれ被覆を有している。
【０００５】
次に、モジュラージャック１Ｘの各端子板１０Ｘに形成した圧接スリットに対応する芯線２１を挿入する。この挿入の際には、専用の冶具２２を使用し、芯線２１を端子板１０Ｘの圧接スリットに圧入する。このとき、芯線２１は端子板１０Ｘにより被覆を破られ、芯線２１内の信号線と端子板１０Ｘが電気的に接続される。
【０００６】
各芯線２１をモジュラージャック１Ｘに順にそれぞれ圧入した後、端子板１０Ｘから外側にはみ出した余分な芯線２１を切断する。その後、本体２Ｘの端子板１０Ｘを覆うようにキャップ４Ｘを固定して、ＬＡＮケーブル２０とモジュラージャック１Ｘの接続を完了する。このモジュラージャック１Ｘ及び図示しないモジュラープラグを採用する構成により、ＬＡＮケーブル同士の接続を容易、且つ確実に行うことができる。
【０００７】
しかしながら、上記のモジュラージャック１Ｘは、いくつかの問題点を有している。第１に、モジュラージャック１ＸとＬＡＮケーブル２０を接続する作業の作業性を向上することが困難であるという問題を有している。これは、作業者がＬＡＮケーブル２０、本体２Ｘ及び冶具２２のすべてを把持又は固定しながら芯線２１の圧入作業をしなくてはならないからである。つまり、片手で本体２Ｘを把持し、他方の手でＬＡＮケーブル２０及び冶具２２を把持して作業を行わなくてはいけない。また、細い芯線２１を決められた端子板１０Ｘの圧接スリットに、それぞれ圧入する細かい作業となるため、手間も時間もかかるという問題を有している。
【０００８】
第２に、芯線２１と端子板１０Ｘの間で接触不良が生じる場合があるという問題を有している。これは、端子板１０Ｘからはみ出した余分な芯線２１を切断し、キャップ４Ｘを設置する際、ＬＡＮケーブル２０が引っ張られ芯線２１が、端子板１０Ｘの間の圧接スリットから抜けてしまうことがあるためである。
【先行技術文献】
【特許文献】
【０００９】
【特許文献１】特開２００６−２６９１６４号公報
【発明の概要】
【発明が解決しようとする課題】
【００１０】
本発明は、上記の問題を鑑みてなされたものであり、その目的は、モジュラージャック及びモジュラージャック設置方法において、端子板にＬＡＮケーブルの芯線を容易に接続することができ、且つ端子板と芯線の間の接触を良好に実現することのできるモジュラージャック及びモジュラージャック設置方法を提供することである。
【課題を解決するための手段】
【００１１】
上記の目的を達成するための本発明に係るモジュラージャックは、ＬＡＮケーブルの複数の芯線をそれぞれ接続する端子板を有するモジュラージャックにおいて、前記モジュラージャックが、複数の端子板を有する本体と、前記本体に傾動可能に設置した可動爪と、前記本体と分離可能であり前記端子板を覆うキャップを有しており、前記キャップが複数の前記芯線をそれぞれ保持する複数の把持部を有し、前記可動爪が傾動する際に前記キャップを前記本体側に押圧するように構成されたことを特徴とする。
【００１２】
この構成により、モジュラージャックとＬＡＮケーブルを接続する作業の作業性を向上することができる。これは、作業者がまずキャップの把持部に複数の芯線をそれぞれ固定する作業を行い、その後、キャップと本体を接近させ可動爪を傾動する作業を行うのみで、モジュラージャックとＬＡＮケーブルを接続することができるからである。つまり、可動爪を傾動させる操作により複数の芯線を端子板に接続することができるため、従来の冶具が不要となる。また、芯線と端子板の接続が、可動爪の傾動という１つの作業でできるため、作業時間を短縮することができる。
【００１３】
上記のモジュラージャックにおいて、前記可動爪が、前記キャップの前記把持部を有する面と反対側の天面を押圧するように構成されたことを特徴とする。この構成により、上記と同様の作用効果を得ることができる。
【００１４】
上記のモジュラージャックにおいて、前記キャップに形成された複数の把持部が、それぞれ絞り部を有しており、前記絞り部が、前記芯線を前記キャップに固定するように構成されたことを特徴とする。この構成により、モジュラージャックとＬＡＮケーブルを接続する作業の作業性を更に向上することができる。これは、モジュラージャックとＬＡＮケーブルを接続する過程で、予めキャップをＬＡＮケーブルの端部に容易に固定することができるからである。
【００１５】
上記の目的を達成するための本発明に係るモジュラージャック設置方法は、ＬＡＮケーブルの複数の芯線をそれぞれ接続する端子板を有するモジュラージャックに、前記ＬＡＮケーブルを接続するモジュラージャック設置方法において、前記モジュラージャックが、複数の端子板を有する本体と、前記本体に傾動可能に設置した可動爪と、前記本体と分離可能であり前記端子板を覆うキャップを有しており、前記キャップが複数の前記芯線をそれぞれ保持する複数の把持部を有し、前記可動爪が傾動する際に前記キャップを前記本体側に押圧するように構成されており、前記ＬＡＮケーブルの前記芯線を前記把持部の対応する位置に保持させるステップと、前記キャップを前記本体に接近させるステップと、前記可動爪を傾動させ前記キャップを前記本体側に押圧して前記芯線と前記端子板を電気的に接続させるステップを有することを特徴とする。この構成により、前述と同様の作用効果を得ることができる。
【発明の効果】
【００１６】
本発明に係るモジュラージャック及びモジュラージャック設置方法によれば、端子板にＬＡＮケーブルの芯線を容易に接続することができ、且つ端子板と芯線の間の接触を良好に実現することのできるモジュラージャック及びモジュラージャック設置方法を提供することができる。
【図面の簡単な説明】
【００１７】
【図１】本発明に係る実施の形態のモジュラージャックの概略を示した図である。
【図２】本発明に係る実施の形態のモジュラージャックの概略を示した図である。
【図３】本発明に係る実施の形態のモジュラージャックの可動爪の概略を示した図である。
【図４】従来のモジュラージャックの概略を示した図である。
【図５】従来のモジュラージャックの作業時の様子を示した図である。
【発明を実施するための形態】
【００１８】
以下、本発明に係る実施の形態のモジュラージャックについて説明する。図１に、モジュラージャック１の概略を示す。モジュラージャック１は、複数の端子板１０を有する本体２と、本体２の両縁に支持設置した２つの可動爪３と、本体２と嵌合固定可能なキャップ４を有している。キャップ４は、ＬＡＮケーブル２０の芯線２１をそれぞれ保持する把持部１１を有している（図１右方参照）。この把持部１１は、絞り部１３を有しており、芯線２１を固定することができる（図１右方参照）。また、キャップ４は、上面にＬＡＮケーブル２０が貫通する貫通孔を有している。
【００１９】
２つの可動爪３は、本体２に傾動可能に枢支されており、端子板１０及び端子板１０を覆うように本体２に係合されるキャップ４の天面１２を、左右から包み込むように構成されている。図１の矢印は、可動爪３の傾動の様子を示している。また、可動爪３は、平面視（ｘｙ平面）において、略Ｌ字型をしており、一端を本体２側に傾動可能に連結され、他端を他方の可動爪３と互いに係合するように構成されている。
【００２０】
端子板１０は、従来と同様に圧接スリットを有しており、この圧接スリットに芯線２１を押し込むと、端子板１０と芯線２１を電気的に接続することができる。
【００２１】
次に、モジュラージャック１の動作について説明する。まず、作業者は、ＬＡＮケーブル２０の端部の被覆を除去し、複数の芯線２１を露出させる。この複数の芯線２１を、キャップ４のそれぞれ対応する把持部１１にはめ込んでいく。この作業によりキャップ４は、ＬＡＮケーブル２０に固定された状態になる。次に、作業者は、キャップ４を本体２の端子板１０のある側に接近させ係合を開始させる。このとき、把持部１１に固定された芯線２１は、複数の端子板１０の圧接スリットに対応する場所に位置するが、未だ圧接スリットに押し込まれていない状態となる。同時に、本体２とキャップ４の係合は完了していない状態である。
【００２２】
その後、作業者は、端子板１０の左右に位置する可動爪３を傾動させる（図２参照）。可動爪３は、キャップ４の把持部１１を形成した側とは反対側となる天面１２を、覆うように移動する。このとき、２つの可動爪３が互いに接近し係合しようとする回転運動（傾動運動）により、キャップ４の天面１２は、本体２側に押圧される。この可動爪３から生じる外力により、芯線２１は端子板１０が有する圧接スリットに押し込まれ、芯線２１と端子板１０の電気的な接続が実現される。また、キャップ４と本体２の係合が完了する。最後に、キャップ４からはみ出した余分な芯線２１を切断する。以上により、モジュラージャック１とＬＡＮケーブル２０の接続作業を完了することができる。
【００２３】
上記の構成により、モジュラージャックは以下の作用効果を得ることができる。第１に
、モジュラージャック１とＬＡＮケーブル２０を接続する作業の作業性を飛躍的に向上することができる。これは、モジュラージャック１とＬＡＮケーブル２０の接続を、芯線２１をキャップ４に保持させる作業と、可動爪３を閉じる作業のみで完了することができるためである。特に、モジュラージャック１の設置作業において、冶具が不要となるため、どのような作業環境であっても容易にＬＡＮケーブル２０にモジュラージャック１を接続することが可能となる。
【００２４】
また、作業者は、芯線２１を端子板１０の圧接スリットに押し込む際には、ＬＡＮケーブル２０に固定されたキャップ４と、可動爪３を有する本体２のみを保持すればよいため、作業中に部品等を落下させる問題等も生じない。
【００２５】
第２に、芯線２１と端子板１０の接触不良の発生を抑制することができる。これは、余分な芯線２１の切断が、キャップ４が本体２に係合され、更に可動爪３により押圧され完全に固定された後に行われるためである。つまり、キャップ４が完全に固定されているため、芯線２１が端子板１０の圧接スリットから抜けてしまう等の事故を防止することができる。
【００２６】
次に、２つの可動爪３の係合について説明する。図３左方に係合前の可動爪３を示し、図３右方に係合後の可動爪３を示す（ｙｚ平面）。可動爪３は、係止片１４と段部１５を有している。この可動爪３の係止片１４は、他方の可動爪の段部１５に係止し固定するように構成されている。また、係合した２つの可動爪３は、図示しないＬＡＮケーブルが貫通する貫通孔１６を形成する。
【００２７】
この構成により、芯線２１と端子板１０の接触を良好に維持することができる。これは、２つの可動爪３を互いに連結し固定し、キャップ４を本体２側に容易に押圧し続けることができるからである。なお、可動爪３の構成は上記に限られず、キャップ４を本体２側に押圧し続けることができる形状であればよい。
【符号の説明】
【００２８】
１     モジュラージャック
２     本体
３     可動爪
１０   端子板
１１   把持部
１２   天面
１３   絞り部
２０   ＬＡＮケーブル
２１   芯線
【図１】
2013161688.tif 000003
【図２】
2013161688.tif 000004
【図３】
2013161688.tif 000005
【図４】
2013161688.tif 000006
【図５】
2013161688.tif 000007